(57)【特許請求の範囲】
【請求項１】
内視鏡ファイバーの外側に内視鏡ファイバーの長軸を中心軸とする相互に前後に移動できる内筒と外筒を備えた弾性の円筒を取り付け、内筒の後方に外側が螺旋状の円筒状構造体を自由に回転できる様に取り付け、外筒の螺旋状の内側で外側が螺旋状の円筒状構造体を回転させることで内筒を前進後退できる様にし、内筒が前進する場合は内筒先端に取り付けた傘状の骨組みが外側の抵抗にて容易に内側に畳み込まれ、内筒が後退しようとする場合は外側の抵抗にて傘状の骨組みが容易に外側に開いた状態になり滑り止めとなって後方の外筒を前方へ引き付けるようにしたもので、外筒にも同様に傘状の骨組みを取り付け外筒が引き付けられ前進する時は畳み込まれ、後退しようとすると容易に開いて後退しにくい状態となるようにし、さらに構造体を外側より弾性カバーで覆い内部を清潔に保ち、内筒の内側に固定された内視鏡ファイバーが内筒と共に前進後退運動を繰り返すことで消化管の奥へ自動的に挿入できるようにした内視鏡ファイバー自動挿入機。
【請求項２】
モーターの中心軸を空洞の円筒状の中心軸として内側の空洞部に前記内視鏡ファイバーが納まるようにし、該内視鏡ファイバーの前後の移動を自由にしたファイバー挿入用モーターを内視鏡ファイバーの挿入用動力源に用いることを特徴とする請求項１記載の内視鏡ファイバー自動挿入機。
【発明の詳細な説明】
【技術分野】
【０００１】
本発明は、内視鏡ファイバーを自動的に消化管の奥へと進める事を可能とするものであり、内視鏡ファイバーの外側に内視鏡ファイバーの長軸を中心軸とする相互に前後に移動できる内筒と外筒を備えた弾性の円筒を取り付け、内筒の先端が自由に前進、後退する事で、内視鏡ファイバーの先端が内筒の先端と共に消化管の中で前進、後退する様にし、工夫を加える事で内視鏡ファイバーが腸管の奥へと進む様にした内視鏡ファイバー自動挿入機に関する。
【背景技術】
【０００２】
従来より内視鏡ファイバーの腸管の奥への挿入は困難を要し、胃内視鏡ファイバーにおいては十二指腸までの挿入が限度であり、又、大腸内視鏡ファイバーにおける挿入は挿入手技そのものが熟練の医師ですら時間を要し、患者に少なからず苦痛を強いるものとなっていて、一般的な大腸内視鏡ファイバーを用いた小腸の奥までの挿入は不可能であり、挿入時に患者に苦痛を生じる理由は大腸内視鏡ファイバーをある程度の力で外から押したり、引っ張ったりしなければ奥へは進めない部位が少なからず存在するからであり、外から加える力が大腸内視鏡ファイバーの先端に伝えづらい事が原因となっている。
【０００３】
又、近年ダブルバルーン式のファイバーが開発され小腸までの観察が可能となっているが、やはり外から押したり引っ張ったりする作業が主体であり、先端に力が伝えづらい状態は改善されておらず一般の内視鏡カメラ検査より遥かに長い時間と苦痛を患者に強いるものとなっていて、操作が煩雑で、外からの外力をかなり要し、ファイバーの進行に難渋している。
【先行技術文献】
【特許文献】
【０００４】
【特許文献１】該当する特許文献は見出し得ない。
【発明の概要】
【発明が解決しようとする課題】
【０００５】
本発明は、難渋する内視鏡ファイバーの腸管の奥への挿入手技を内視鏡ファイバーが自動的に腸管の奥へ進む様にする事を容易にすると共に、小腸の奥までの挿入を可能とする事を課題とする。
【課題を解決するための手段】
【０００６】
これらの課題を解決する為に構成した請求項１に係る発明は、内視鏡ファイバーの外側に内視鏡ファイバーの長軸を中心軸とする相互に前後に移動できる内筒と外筒を備えた弾性の円筒を取り付け、内筒の後方に外側が螺旋状の円筒状構造体を自由に回転できる様に取り付け、外筒の螺旋状の内側で外側が螺旋状の円筒状構造体を回転させることで内筒を前進後退できる様にし、内筒が前進する場合は内筒先端に取り付けた傘状の骨組みが外側の抵抗にて容易に内側に畳み込まれ、内筒が後退しようとする場合は外側の抵抗にて傘状の骨組みが容易に外側に開いた状態になり滑り止めとなって後方の外筒を前方へ引き付けるようにしたもので、外筒にも同様に傘状の骨組みを取り付け外筒が引き付けられ前進する時は畳み込まれ、後退しようとすると容易に開いて後退しにくい状態となるようにし、さらに構造体を外側より弾性カバーで覆い内部を清潔に保ち、内筒の内側に固定された内視鏡ファイバーが内筒と共に前進後退運動を繰り返すことで消化管の奥へ自動的に挿入できるようにしたものからなる。
【０００７】
そして、モーターの中心軸を空洞の円筒状の中心軸として内側の空洞部に前記内視鏡ファイバーが納まるようにし、該内視鏡ファイバーの前後の移動を自由にしたファイバー挿入用モーターを内視鏡ファイバーの挿入用動力源に用いることができる。
【発明の効果】
【０００８】
本発明はこの様な構造であるから、外側が螺旋状の円筒状構造体を回転させる事で内筒を前進後退させ内側に固定した内視鏡ファイバーの先端まで十分に推進動力を伝え、内視鏡ファイバーが自動的に腸管の奥へ進む様にする事で挿入手技を容易とすると共に、小腸の奥までの挿入を可能とする。
【０００９】
特に、難渋する大腸内視鏡ファイバーの挿入においては挿入手技を容易とし、患者への苦痛を軽減し、更にはそのまま回腸、腔腸までの挿入を可能にできる。又、これらの構造体は全て外側から弾性カバーで覆われており、内部は外部から完全に遮断された状態で清潔に保つ事が出来、検査の終了後は一般の内視鏡ファイバーと同様に洗浄して再使用する事が出来る。
【図面の簡単な説明】
【００１０】
【図１】本発明の弾性カバー部と外筒７を断面とした平面図。
【図２】Ａ−Ａ線断面図。
【図３】ファイバー挿入用モーターと連結した弾性コイル３の平面図。
【図４】Ｂ−Ｂ線断面図。
【発明を実施するための形態】
【００１１】
図１は本発明の弾性カバー部と外筒７を断面とした平面図で、内筒５の後方に外側が螺旋状の円筒状構造体１を自由に回転できる様に連結し、外筒７の螺旋状の内側で外側が螺旋状の円筒構造体１を左右に回転させる事で内筒５を前進後退できる。内筒５が前進する場合は、内筒５の先端に取り付けた傘状の骨組みが外側の抵抗にて容易に内側に畳み込まれ、円筒５が後退しようとする場合は外側の抵抗にて傘状の骨組みが容易に外側に開いた状態になり滑り止めとなって後方の外筒７を前方へ引き付ける。
【００１２】
内筒５の先端が内側に固定された内視鏡ファイバーの先端と共に前進後退運動を繰り返す事で、内視鏡ファイバーを消化管の奥へ自動的に挿入できる。内筒５の先端の傘状の骨組みは前方傘骨頭球部１６、前方傘骨背面球部１７、前方傘骨ヒンジ１８、前方傘骨羽部１９、前方リング２０、前方リング孔２１、前方骨組み連結棒２２からなる。
【００１３】
外筒７にも同様に後方傘骨頭球部８、後方傘骨背面球部９、後方傘骨ヒンジ１０、後方傘骨羽部１１、後方リング１２、後方リング孔１３、後方骨組み連結棒１４からなる傘状の骨組みを取り付け、外筒７が引き付けられて前進する時は畳み込まれ、後退しようとすると容易に開いて後退しにくい状態となる。
【００１４】
図２は図１のＡ−Ａ線断面図であり、前方リング２０、後方リング１２にある前方リング孔２１、後方リング孔１３はリングの外側から内側に向かってあけられた孔であり、それぞれ前方骨組み連携棒２２、後方骨組み連携棒１４を通し、前方傘骨頭球部１６と前方傘骨背面球部１７、後方傘骨頭球部８と後方傘骨背面球部９によって挟み込まれた形態となっていて、内筒５、外筒７の側面に取り付けた側孔を通して前後する前方牽引機具２３、後方牽引機具１５にて前方リング２０、後方リング１２を前後させる事で前方傘骨羽部１９、後方傘骨羽部１１を外側に開いたり、内側に畳み込む事が可能であり、状況により傘状の骨組みを任意に折り畳んだり外側に開いたりして臨機応変に対応できる。
【００１５】
図３はファイバー挿入用モーター２８と連結した弾性コイル３の平面図、図４は図３のＢ−Ｂ線断面図であり、外側が螺旋状の円筒状構造体１を回転させる動力としては内視鏡ファイバーの彎曲に対応して彎曲する弾性コイル３を円筒状接続部で連結していったものを回転させる等の方法があるが、具体的には弾性コイル３を一部が凸となった円筒状接続部２と、一部が鍵穴となった円筒状接続部４を用いて左右の回転方向に数度から数十度のみ相互に回転できる状態に連結して内視鏡ファイバーの多様な彎曲に対応して回転軸がぶれないようにし、内視鏡ファイバーの長軸方向に延長して外側が螺旋状の円筒状構造体１の後方の一部が鍵穴となった円筒状接続部に連結し、ファイバーの長軸を回転軸として回転させる事で可能である。
【００１６】
又、モーターの中心軸を円筒状の中心軸２９として内側のファイバー収納用の空洞部３０に内視鏡ファイバーが収まる形態のファイバー挿入用モーターを用い、弾性コイル３に連結する事で内視鏡ファイバーがファイバー収納用の空洞部３０を前後に自由に移動できる状態で弾性コイル３を回転させる事が可能である。
【００１７】
さらに、構造体を外側より頭部カバー２４、前方傘状カバー２５、伸展カバー２６、後方傘状カバー２７からなる弾性カバーで覆い、内部を外部から完全に遮断された状態で清潔に保つ事が出来、一般の内視鏡ファイバーと同様に洗浄して再使用する事が出来る。
【００１８】
外側が螺旋状の円筒状構造体１を回転させる動力としては内視鏡ファイバーの彎曲に対応して彎曲する弾性コイル３を円筒状接続部で連結していったものを回転させる等の方法がある。
【産業上の利用可能性】
【００１９】
以上述べた様に、本発明に係る内視鏡ファイバー自動挿入機は全体を従来どおり洗浄して繰り返し使用することができ、又、工業的に量産する事が可能であるため産業上の利用可能性を有する。
【符号の説明】
【００２０】
１    外側が螺旋状の円筒状構造体
２    一部が凸となった円筒状接続部
３    弾性コイル  
４    一部が鍵穴となった円筒状接続部
５    内筒
６    内視鏡ファイバー固定部
７    外筒
８    後方傘骨頭球部
９    後方傘骨背面球部
１０  後方傘骨ヒンジ
１１  後方傘骨羽部
１２  後方リング
１３  後方リング孔
１４  後方骨組み連結棒
１５  後方牽引機具
１６  前方傘骨頭球部
１７  前方傘骨背面球部
１８  前方傘骨ヒンジ
１９  前方傘骨羽部
２０  前方リング
２１  前方リング孔
２２  前方骨組み連結棒
２３  前方牽引機具
２４  頭部カバー
２５  前方傘状カバー
２６  伸展カバー
２７  後方傘状カバー
２８  ファイバー挿入用モーター
２９  ファイバー挿入用モーターの円筒状の中心軸
３０  ファイバー挿入用モーターのファイバー収納用の空洞部
【図１】
0004660848.tif 000002
【図２】
0004660848.tif 000003
【図３】
0004660848.tif 000004
【図４】
0004660848.tif 000005